(57)【特許請求の範囲】
【請求項１】
アノード、フィラメント、制御グリッドを有する電子管と、前記制御グリッドに正のバイアス電圧を与える正バイアス電源と、前記アノードとフィラメント間に直流高電圧を印加する直流高電圧電源と、前記フィラメントに加熱電流を供給するフィラメントトランスとを備えた電子管装置において、
前記直流高電圧電源の負極と前記正バイアス電源の負極とが共通に接続された基準電位点と前記フィラメントの一端又は前記フィラメントトランスの２次側中間電圧点との間に半導体スイッチを接続し、
前記フィラメントトランスに交流電圧を与え、
前記半導体スイッチをオンさせて、前記制御グリッドに正のバイアス電圧を印加して、前記電子管をオンさせ、
前記半導体スイッチをオフさせて、前記半導体スイッチによる前記高インピーダンスを通して流れる漏れ電流により逆バイアスされて前記電子管をカットオフさせることを特徴とする電子管装置。
【請求項２】
請求項１において、
前記正バイアス電源の正バイアス電圧を、前記フィラメントトランスの第３の巻線の電圧から生成することを特徴とする電子管装置。
【請求項３】
請求項１又は請求項２において、
前記半導体スイッチは、制御回路から光ファイバ又は信号絶縁トランスを通して得られる駆動信号によりオンして、前記電子管をオンさせることを特徴とする電子管装置。
【請求項４】
請求項１において、
前記制御グリッドと前記基準電位点との間の電圧を２以上の抵抗で分圧し、前記基準電位点と前記１又は２以上の抵抗のとの間に前記半導体スイッチを接続し、
前記制御グリッドに接続された前記正バイアス電源に電圧を印加し、前記分圧した電圧を前記半導体スイッチの制御端子に印加して前記半導体スイッチをオンさせて、前記電子管をオンさせることを特徴とする電子管装置。
【請求項５】
請求項１において、
前記直流高電圧電源はコッククロフト・ウォルトン回路であり、前記正バイアス電圧は前記コッククロフト・ウォルトン回路における電子管のフィラメント側のコンデンサの両端の電圧から生成されたことを特徴とする電子管装置。
【請求項６】
請求項１から請求項５のいずれかにおいて、
前記半導体スイッチと並列に、前記正バイアス電源の正バイアス電圧と電子管のカットオフ電圧との和以上のゼナー電圧又はアバランシェ電圧のような定電圧を呈する電気特性を持つ定電圧素子を備えたことを特徴とする電子管装置。
【請求項７】
アノード、フィラメント、制御グリッドを有する電子管の前記フィラメントをフィラメントトランスによって加熱電流を供給し、
前記フィラメントの一端に接続した半導体スイッチをオンすると、前記フィラメントは前記半導体スイッチを通じて、前記アノードと前記フィラメント間に直流高電圧を印加する直流高電圧電源の負極と前記制御グリッドに正のバイアス電圧を与える正バイアス電源の負極とが共通の電位である基準電位となり、前記制御グリッドと前記フィラメントとの間には前記正バイアス電圧に対応した電流が流れ、
前記半導体スイッチをオフすると、前記半導体スイッチの両端は高インピーダンスとなり、前記直流高電圧電源の直流高電圧の一端に接続された前記アノードから前記フィラメント、前記半導体スイッチによる前記高インピーダンスを通して漏れ電流が流れ、前記電子管は前記漏れ電流による前記半導体スイッチの電圧降下とカットオフ電圧とがバランスした動作点で自己逆バイアスされてカットオフすることを特徴とする電子管装置の制御方法。
【請求項８】
アノード、フィラメント、制御グリッドを有する電子管の前記フィラメントをフィラメントトランスによって加熱電流を供給し、
前記フィラメントの一端に接続した半導体スイッチをオンすると、前記フィラメントは前記半導体スイッチを通じて、前記アノードと前記フィラメント間に直流高電圧を印加する直流高電圧電源の負極と前記制御グリッドに正のバイアス電圧を与える正バイアス電源の負極とが共通の電位である基準電位となり、前記制御グリッドと前記フィラメントとの間には前記正バイアス電圧に対応した電流が流れ、
前記半導体スイッチをオフすると、前記半導体スイッチの両端は高インピーダンスとなり、前記直流高電圧電源の直流高電圧の一端に接続された前記アノードから前記フィラメント、前記半導体スイッチに並列に接続した定電圧素子を通して漏れ電流が流れ、前記電子管は前記定電圧素子が呈する電圧で逆バイアスされてカットオフすることを特徴とする電子管装置の制御方法。
【発明の詳細な説明】
【０００１】
【発明の属する技術分野】
本発明は、フィラメントとアノードとの間に制御グリドを有する３極電子管、あるいはその他に遮蔽グリッド、抑制グリッドを有する４極電子管、５極電子管などの電子管の制御装置に関するものである。
【０００２】
【従来の技術】
半導体デバイスの出現以来、電子管の利用分野は大幅に狭まって来たが、大電力の高周波発振器や増幅器、あるいは比較的容量が大きくかつ高電圧の高周波発振器や増幅器の分野には未だかなり利用されている。図８により低い周波数で駆動される高電圧電子管の制御装置について説明すると、１は３極電子管の管球であり、その真空中にはアノード２、フィラメント３、制御グリッド４が封入されている。５は図示しない交流電源からフィラメント３に加熱用の電流を供給する第１の絶縁トランス、６はアノード２に数十ｋＶの加速電圧、即ち高電圧のアノード電圧を供給する直流高電圧電源であり、普通はコッククロフト・ ウオルトン回路が使用される。図示のようにアノード２が接地され、フィラメント３に負の高電圧が印加される場合には、第１の絶縁トランス（フィラメントトランスという）５は負極性の高電圧に耐えられる絶縁構造を持つ。
【０００３】
さらに図８により従来例の説明を続けると、７は制御グリッド４に正のバイアス電圧を与える正バイアス電源であり、正バイアス電源７の正極はＦＥＴ８１を通して制御グリッド４に接続され、負極は直流高電圧電源６の負極と共通に接続される。それら負極にフィラメント３の一端が接続されている。８２は負のバイアス電圧を与える負バイアス電源であり、負バイアス電源８２は、抵抗８３を通して制御グリッド４に接続される。その負バイアス電圧は電子管のカットオフ電圧以上であり、ここでカットオフ電圧とは電子管のアノード電流を実質的にゼロにする負のグリッドバイアス電圧である。正バイアス電源７と負バイアス電源８２は交互に動作し、制御グリッド４に交互に正、負のバイアス電圧を出力する。ＦＥＴ８１は、接地電位側にある図示しない制御回路から、図示しない光ファイバ、又はパルストランスなどの信号絶縁手段を通して駆動信号を受けて制御され、オフ動作を行う。
【０００４】
次に、この電子管装置の動作について簡単に説明すると、ＦＥＴ８１がオフしているとき、制御グリッド４は負バイアス電源８２から抵抗８３を通して負極性のカットオフ電圧にバイアスされる。この結果、フィラメント３から放出された熱電子はアノード２に実質的に到達せず、電流が流れない。次に、ＦＥＴ８１がオンすることにより制御グリッド４はＦＥＴ８１を介して正バイアス電源７に接続され、正バイアスされる。この結果、フィラメント３から放出された熱電子は制御グリッド４を通過してアノード２に到達し、電流が流れる。その電流は正バイアス電源７の正バイアス電圧の大きさで制御される。
【０００５】
【発明が解決しようとする課題】
従来の電子管装置はこのような構成のため、正バイアス電源７の他に負バイアス電源８２が必要であったので、コストダウンするのが非常に難しかった。特に、双方のバイアス電源ほかの回路が高電位側にある場合は電気絶縁上のコストがかかる。
本発明は、負バイアス電源を省略する回路構成として経済化を図ることを主目的としている。
【０００６】
この課題を解決するために、請求項１の発明では、  アノード、フィラメント、制御グリッドを有する電子管と、前記制御グリッドに正のバイアス電圧を与える正バイアス電源と、前記アノードとフィラメント間に直流高電圧を印加する直流高電圧電源と、前記フィラメントに加熱電流を供給するフィラメントトランスとを備えた電子管装置において、前記直流高電圧電源の負極と前記正バイアス電源の負極とが共通に接続された基準電位点と前記フィラメントの一端又は前記フィラメントトランスの２次側中間電圧点との間に半導体スイッチを接続し、前記フィラメントトランスに交流電圧を与え、前記半導体スイッチをオンさせて、前記制御グリッドに正のバイアス電圧を印加して、前記電子管をオンさせ、前記半導体スイッチをオフさせて、前記半導体スイッチによる前記高インピーダンスを通して流れる漏れ電流により逆バイアスされて前記電子管をカットオフさせることを特徴とする電子管装置を提供する。
【０００７】
この課題を解決するために、請求項２では、請求項１において、前記正バイアス電源の正バイアス電圧を、前記フィラメントトランスの第３の巻線の電圧から生成する電子管装置を提案するものである。
【０００８】
この課題を解決するために、請求項３の発明では、請求項１又は請求項２において、前記半導体スイッチは、制御回路から光ファイバ又は信号絶縁トランスを通して得られる駆動信号によりオンして、前記電子管をオンさせることを特徴とする電子管装置を提供する。
【０００９】
この課題を解決するために、請求項４の発明では、請求項１において、前記制御グリッドと前記基準電位点との間の電圧を２以上の抵抗で分圧し、前記基準電位点と前記１又は２以上の抵抗のとの間に前記半導体スイッチを接続し、前記制御グリッドに接続された前記正バイアス電源に電圧を印加し、前記分圧した電圧を前記半導体スイッチの制御端子に印加して前記半導体スイッチをオンさせて、前記電子管をオンさせることを特徴とする電子管装置を提供する。
【００１０】
この課題を解決するために、請求項５では、請求項１において、前記直流高電圧電源はコッククロフト・ウォルトン回路であり、前記正バイアス電圧は前記コッククロフト・ウォルトン回路の最も電位の高いコンデンサの両端の電圧から生成される電子管装置を提案するものである。
【００１１】
この課題を解決するために、請求項６では、請求項１ないし請求項５のいずれかにおいて、前記半導体スイッチと並列に、前記正バイアス電源の正バイアス電圧と同等以上のゼナー電圧又はアバランシェ電圧のような定電圧を呈する電気特性を持つ定電圧素子を接続した電子管装置を提案するものである。
また、この課題を解決するために、請求項７の発明では、アノード、フィラメント、制御グリッドを有する電子管の前記フィラメントをフィラメントトランスによって加熱電流を供給し、前記フィラメントの一端に接続した半導体スイッチをオンすると、前記フィラメントは前記半導体スイッチを通じて、前記アノードと前記フィラメント間に直流高電圧を印加する直流高電圧電源の負極と前記制御グリッドに正のバイアス電圧を与える正バイアス電源の負極とが共通の電位である基準電位となり、前記制御グリッドと前記フィラメントとの間には前記正バイアス電圧に対応した電流が流れ、前記半導体スイッチをオフすると、前記半導体スイッチの両端は高インピーダンスとなり、前記直流高電圧電源の直流高電圧の一端に接続された前記アノードから前記フィラメント、前記半導体スイッチによる前記高インピーダンスを通して漏れ電流が流れ、前記電子管は前記漏れ電流による前記半導体スイッチの電圧降下とカットオフ電圧とがバランスした動作点で自己逆バイアスされてカットオフすることを特徴とする電子管装置の制御方法を提供する。
さらに、この課題を解決するために、請求項８は、アノード、フィラメント、制御グリッドを有する電子管の前記フィラメントをフィラメントトランスによって加熱電流を供給し、前記フィラメントの一端に接続した半導体スイッチをオンすると、前記フィラメントは前記半導体スイッチを通じて、前記アノードと前記フィラメント間に直流高電圧を印加する直流高電圧電源の負極と前記制御グリッドに正のバイアス電圧を与える正バイアス電源の負極とが共通の電位である基準電位となり、前記制御グリッドと前記フィラメントとの間には前記正バイアス電圧に対応した電流が流れ、前記半導体スイッチをオフすると、前記半導体スイッチの両端は高インピーダンスとなり、前記直流高電圧電源の直流高電圧の一端に接続された前記アノードから前記フィラメント、前記半導体スイッチに並列に接続した定電圧素子を通して漏れ電流が流れ、前記電子管は前記定電圧素子が呈する電圧で逆バイアスされてカットオフすることを特徴とする電子管装置の制御方法を提供する。
【００１２】
【発明の実施の形態】
図１は本発明の基本的な構成を示す図である。この発明では、従来における制御グリッド４用の負バイアス電源を除去すると共に、正バイアス電源７と制御グリッド４との間に接続されていたＦＥＴを除去する代わりに、ＦＥＴ又はＩＧＢＴなどのような半導体スイッチ８をフィラメント３の一端又はフィラメントトランス５の２次側中間電圧点と正バイアス電源７の負極との間に接続し、かつ半導体スイッチ８のオン、オフにより、フィラメント３を直流高電圧電源６の負極と正バイアス電源７の負極とに接続したり、あるいはそれら負極から遮断できるようにしたところに特徴がある。なお、直流高電圧電源６の負極と正バイアス電源７の負極は一緒に共通の基準電位となり、通常、その基準電位は接地電位、あるいは所定の負の電位、例えば−数ｋＶから−１００数十ｋＶの範囲の電圧であり、本発明では直流高電圧電源６の正極は接地電位にあり、負極は所定の負の高電位にあるものとして説明する。
【００１３】
図１において、図６に示した記号と同一の記号は相当する部材を示すものとする。正バイアス電源７の負極は直流高電圧電源６の負極（基準電位）に接続されており、電子管電流を制御できるように正バイアス電源７の出力電圧は可変できるようになっている。半導体スイッチ８の主電流端子の一方は前記基準電位に接続され、他方はフィラメント３の一端に接続されているので、半導体スイッチ８がオフの状態では、半導体スイッチ８の両端は高インピーダンスであり、フィラメント３の一端はその高インピーダンスを通して前記基準電位に接続されていることになる。したがって、直流高電圧電源６の直流高電圧によってアノード２からフィラメント３、前記高インピーダンスを通して漏れ電流が流れ、通常、その高インピーダンスの両端に発生する電圧は正バイアス電圧Ｖｂとカットオフ電圧との和以上になる。これによって、フィラメント３の電位は制御グリッド４の電圧以上になり、フィラメント３と制御グリッド４との間はカットオフ電圧Ｖｃで逆バイアスとなる。つまり、電子管は漏れ電流による半導体スイッチ８の電圧降下とカットオフ電圧Ｖｃとがバランスした動作点で自己逆バイアスされてカットオフとなる。
【００１４】
次に、図示しない信号源からの駆動信号により半導体スイッチ８がターンオンすると、フィラメント３は直流高電圧電源６の負極と正バイアス電源７の負極の共通の電位である基準電位となる。これに伴い、制御グリッド４とフィラメント３との間には正バイアス電源７の正バイアス電圧Ｖｂにほぼ等しい電圧が印加され、正バイアス電圧Ｖｂに対応した電流が流れる。このように本発明では、半導体スイッチ８をオン、オフすることにより、電子管の電流を開閉制御できる。
【００１５】
次に、図２により本発明の一実施例について説明する。図２において、図１の記号と同じ記号については同一の部材を示すものとする。正バイアス電源７は、フィラメントトランス５の第３の巻線２１とその交流電圧を整流する整流回路２２と平滑用コンデンサ２３とから構成される。平滑用コンデンサ２３と並列に、互いに直列接続された抵抗２４、フォトトランジスタ２５及び抵抗２６が接続されている。半導体スイッチ８の制御端子は、フォトトランジスタ２５と抵抗２６との間に接続され、半導体スイッチ８の制御端子と主端子の一方との間には抵抗２６が存在することにより、フォトトランジスタ２５の漏れ電流で半導体スイッチ８が誤ってオンしないようになっている。フォトトランジスタ２５は接地電位側にある制御回路２８からの駆動信号を鎖線で示す光ファイバ２７を通して受けてオン、オフ制御される。半導体スイッチ８の主電流端子間には、電子管のカットオフ時、又はアノード２とフィラメント３の放電により半導体スイッチ８に過電圧がかかって破損するのを防止する定電圧素子２９が接続される。ゼナーダイオード、アバランシェダイード、あるいは酸化亜鉛を主成分とする定電圧素子からなる。
【００１６】
図２に示した実施例における定電圧素子２９は次のような電気特性をもつことが大切である。これら実施例では電子管のカットオフ時でも制御グリッド４に正バイアス電圧Ｖｂが印加されている。半導体スイッチ８がオフのときには制御グリッド４とフィラメント３間は逆バイアス状態にならなければ電子管をカットオフ状態にできないので、定電圧素子２９は正バイアス電源７の正バイアス電圧Ｖｂと電子管のカットオフ電圧Ｖｃとの和以上のゼナー電圧又はアバランシェ特性を呈する電気特性を持たなければならない。半導体スイッチ８として耐圧の低いものを用いるためには、他の実施例においても前記電気特性をもつ定電圧素子を備えることが必要である。
【００１７】
ここで、半導体スイッチ８がオフするとき、電子管のカットオフ時に発生する電圧と正バイアス電圧Ｖｂとの和の電圧が半導体スイッチ８にかかるので、ゼナーダイオード、あるいはアバランシェダイードなどからなる定電圧素子２９が無ければそれ以上の耐圧をもつ必要があるが、半導体スイッチ８の両端にかかる電圧は定電圧素子２９が呈する定電圧に制限される。なお、信号伝達回路として光ファイバ２７の代わりに絶縁トランスを用い、その絶縁トランスの２次巻線の電圧を整流してフォトトランジスタ２５の制御端子に駆動信号として与えても良い。
【００１８】
次にこの回路の動作について説明する。電子管のアノード２には直流高電圧電源６から所定の高電圧が印加され、フィラメント３には絶縁トランス５を通してフィラメント電圧が印加されることにより電流が流れ、同時に制御グリッド４には正バイアス電源７から正バイアス電圧Ｖｂが印加される。このとき、制御回路２８からの光信号が光ファイバ２８を通してフォトトランジスタ２５に供給されてフォトトランジスタ２５がオンし、半導体スイッチ８もオンすると、フィラメント３は基準電位になり、制御グリッド４とフィラメント３との間の電位差は正バイアス電圧Ｖｂに等しくなり、正バイアス電圧Ｖｂの値に応じた電流が電子管を流れる。なお、制御回路２８から駆動信号が供給されない区間では、フォトトランジスタ２５がオフであり、これに伴い半導体スイッチ８もオフであるので、前述のように基準電位に対するフィラメント３の電位は定電圧素子２９の定電圧Ｖｚとなり、Ｖｚ＞Ｖｂ＞＋Ｖｃであるから制御グリッド４は逆バイアス状態にあるので、制御グリッド４には整流回路２２を通して正バイアス電圧Ｖｂが供給されていても電子管はカットオフである。
【００１９】
図３に示す別の実施例では、正バイアス電源７がインバータ回路３１、１次巻線３２ｐと２次巻線３２ｓとを有する第２の絶縁トランス３２、その２次巻線３２ｓに接続された全波整流回路３３と平滑用コンデンサ３４とから構成され、正バイアス電圧Ｖｂを制御グリッド４に供給する。平滑用コンデンサ３４には、直列接続された抵抗３５と抵抗３６とが並列接続されており、正バイアス電圧Ｖｂを抵抗３５と抵抗３６とで分割した電圧が半導体スイッチ８の制御端子に印加される。なお、図１又は図２に示した記号と同じ記号は相当する部材を示す。
【００２０】
次に動作について説明する。図示しない電子管オン指令がないとき、インバータ回路３１は高周波動作を行わず、絶縁トランス３２の２次巻線３２ｓには高周波電圧が発生しない。基準電位（直流高電圧電源６の負極）に対する制御グリッド４の電位差はほぼ０である。したがって、半導体スイッチ８はそのゲート電位が０Ｖのため、オフであり、前述のように半導体スイッチ８の高インピーダンス状態と電子管の漏れ電流とにより、基準電位に対するフィラメント３の電位は定電圧Ｖｚとなり、バイアス電圧Ｖｂはゼロのため制御グリッド４とフィラメント３間は逆バイアス状態になる。このため、電子管のアノード２とフィラメント３との間に直流高電圧が印加されていても、電子管のアノード２とフィラメント３との間には電流が流れず、電子管はカットオフである。この実施例では電子管がカットオフの状態ではインバータ回路３１もオフで、制御グリッド４のバイアス電圧はほぼゼロであるので、定電圧素子２９の定電圧Ｖｚは電子管のカットオフ電圧Ｖｃ以上であれば良い。
【００２１】
次に、図示しない電子管オン指令によりインバータ回路３１が動作して高周波電圧を発生すると、絶縁トランス３２の２次巻線３２ｓに高周波電圧が発生し、整流されて数１０Ｖないし数１００Ｖの直流電圧が正バイアス電圧Ｖｂとして生成され、制御グリッド４に印加される。また、その正バイアス電圧Ｖｂは同時に抵抗３５と３６の分圧回路を通して分割され、適当な値の電圧が半導体スイッチ８の制御端子に印加され、半導体スイッチ８をオンさせる。この結果、フィラメント３は半導体スイッチ８を通して基準電位に接続されるので、制御グリッド４とフィラメント３との間には前記数１０Ｖないし数１００Ｖの直流電圧の範囲内の正バイアス電圧Ｖｂがかかり、電子管を電流が流れる。この実施例では、半導体スイッチ８を絶縁して駆動するための信号絶縁駆動回路を別途必要とせず、正バイアス電源の起動を利用して半導体スイッチ８をオンさせているので経済性に優れる。
【００２２】
図４は他の実施例であり、図１の前記実施例の高電圧電源６として、複数の平滑側コンデンサＣＤ１〜ＣＤｎと、交流側コンデンサＣＡ１〜ＣＡｎ、ダイオードＤ１〜Ｄｎ〜Ｄ２ｎで構成されたコッククロフト・ウォルトン（以下、ＣＷという）回路４１及び昇圧用トランス４２を用いている。このＣＷ回路４１は良く知られた回路構成のものであるので、詳しい説明は省略する。ＣＷ回路４１の最も電位の高い、つまり電子管のフィラメント側のコンデンサＣＤｎと次に電位の高いコンデンサＣＤｎ−１との接続点から抵抗４３を通して、ゼナーダイオードのような定電圧ダイオード４４の両端に数１００Ｖの正バイアス電圧Ｖｂが作られる。ＦＥＴ又はＩＧＢＴのような半導体スイッチ８の制御については図２に示した実施例と同様である。例えば、ＣＷ回路４１が−５０ｋＶを発生し、１０段であれば、最上段のコンデンサＣＤｎには５ｋＶの電圧が発生する。この電圧から抵抗４３を通して正バイアス電圧を作るが、制御グリッド４に流れる電流は通常数μＡと非常に小さく、ＣＷ回路４１への影響は小さい。正バイアス電圧Ｖｂは定電圧ダイオード４４により数１００Ｖの定電圧に制限されているので、ＣＷ回路４１への影響をより小さくし、最上段のコンデンサＣＤｎの電圧を必要なレベルに合わせる方法として、最上段の交流側のコンデンサＣＡｎの容量を他のコンデンサＣＡ１〜ＣＡｎ−１の数分の１ないし１／１０程度に小さくすることが考えられる。この実施例では、僅かな部品を用いるだけで、アノード２とフィラメント３間に直流高電圧を供給するための直流高電圧電源から正バイアス電圧Ｖｂを得ており、より経済性に優れている。
【００２３】
以上の実施例では、いずれも制御グリッド４の正バイアス電圧を利用して半導体スイッチ８を駆動したが、図５に示すように専用の駆動回路で駆動してももちろん良い。図５に従って簡単に説明すると、この駆動回路は高周波発振器５１、１次巻線５２ｐと２次巻線５２ｓ間の耐圧が大きい構造をもつ絶縁パルストランス５２、その２次巻線５２ｓ間に接続された整流回路５３、フィルタ用コンデンサ５４、コンデンサ放電用抵抗器５５からなる。この駆動回路によれば、２次巻線５２ｓに１０〜２０Ｖの高周波電圧が発生し、整流器５３とフィルタ用コンデンサ５４で直流・平滑化されて半導体スイッチ８のゲートに駆動信号として印加される。
【００２４】
また、以上の実施例では、いずれも半導体スイッチ８の主電流端子の一方を前記基準電位に接続し、他方をフィラメント３の一端に接続したが、図６に示すように、半導体スイッチ８の主電流端子の他方をフィラメントトランス３の２次巻線５ｓの中間タップ５ａ、つまり２次側中間電圧点に接続しても良い。さらに、図７に示すように、半導体スイッチ８の主電流端子の他方をフィラメントトランス３の２次巻線５ｓに並列接続した抵抗７１の中間電圧点、つまり２次巻線５ｓ間の電圧を抵抗で等しく２分割した２次側中間電圧点に接続しても良い。これら実施例では、半導体スイッチ８のオフ時、前述したように電子管の漏れ電流による半導体スイッチ８の両端間の高インピーダンスの電圧ドロップに、前記２次側中間電圧点の電圧、例えば１Ｖ弱の電圧が加えられた電圧がフィラメント３の電圧となる。
【００２５】
図６の実施例の場合、半導体スイッチ８がオフのときには半導体スイッチ８の両端間は高インピーダンスであり、漏れ電流は直流高電圧電源６の正極からアノード２、制御グリッド４、フィラメント３、トランス５の２次巻線５ｓの中点５ａ、及び半導体スイッチ８による高インピーダンスを通して直流高電圧電源６の負極に流れる。この結果、前記高インピーダンスの電圧ドロップは正バイアス電源７の正バイアス電圧以上になり、制御グリッド４とフィラメント３間は逆バイアス、つまり自己逆バイアスされ、カットオフである。また、半導体スイッチ８がオンのときには半導体スイッチ８を通してトランス５の２次巻線５ｓの中点５ａは前記基準電位に接続されるので、フィラメント３はほぼ基準電位となり、制御グリッド４とフィラメント３間は順バイアスされ、電子管はオンする。
【００２６】
図７の実施例の場合も図６の実施例とほぼ同じであり、半導体スイッチ８がオフのときには半導体スイッチ８の両端間は高インピーダンスであり、漏れ電流は直流高電圧電源６の正極からアノード２、制御グリッド４、フィラメント３、抵抗７１の中間電圧点７１ａ、及び前記高インピーダンスを通して直流高電圧電源６の負極に流れる。この結果、前記高インピーダンスの電圧ドロップは正バイアス電源７の正バイアス電圧以上になり、制御グリッド４とフィラメント３間は逆バイアス、つまり自己逆バイアスされ、カットオフである。また、半導体スイッチ８がオンのときには、半導体スイッチ８を通して抵抗７１の中間電圧点７１ａは前記基準電位に接続されるので、フィラメント３はほぼ基準電位となり、制御グリッド４とフィラメント３間は順バイアスされ、電子管はオンする。
【００２７】
なお、以上の実施例では、いずれも制御グリッド４だけを持つ３極電子管について述べたが、更に遮蔽グリッドを有する４極電子管、４極電子管に更に抑制グリッドを備えた５極電子管などの制御グリッドにも同様に本発明を適用することができる。
【００２８】
【発明の効果】
以上述べたように本発明では、別途負バイアス電源を用いることなく電子管をオンからオフにし、そのオフ状態を維持できるので回路構成を簡単にできると同時に経済性に優れる。また、請求項２ないし５によれば、半導体スイッチの駆動電源を用いることなく、半導体スイッチのオンにより制御グリッドとフィラメント間に電圧を印加し、電子管をオンさせることができるので、さらに経済性に優れる。さらに、請求項６によれば電子管のカットオフ電圧の影響を除去できるので耐圧の低い半導体スイッチを用いることが可能になり、より一層経済性に優れる。
【図面の簡単な説明】
【図１】  本発明に係る電子管装置の実施の態様を示す図である。
【図２】  本発明に係る電子管装置の一実施例を示す図である。
【図３】  本発明に係る電子管装置の他の実施例を示す図である。
【図４】  本発明に係る電子管装置の他の実施例を示す図である。
【図５】  本発明に係る電子管装置に用いられる駆動回路の例を示す図である。
【図６】  本発明に係る電子管装置の他の実施例を示す図である。
【図７】  本発明に係る電子管装置の他の実施例を示す図である。
【図８】  従来の電子管装置の一例を示す図である。
【符号の説明】
【符号の説明】
１・・・電子管の管球                      ２・・・アノード
３・・・フィラメント                      ４・・・制御グリッド
５・・・フィラメントトランス
５ｓ・・フィラメントトランスの２次巻線    ５ａ・・２次巻線５ｓの中点５
６・・・直流高電圧電源
７・・・正バイアス電源                    ８・・・半導体スイッチ
２１・・フィラメントトランス５の第３の巻線
２２・・整流回路                          ２３・・コンデンサ
２４、２６・・抵抗器                      ２５・・フォトトランジスタ
２７・・光ファイバ                        ２８・・制御回路
２９・・定電圧ダイオード
３１・・高周波インバータ回路              ３２・・パルストランス
３３・・整流回路                          ３４・・コンデンサ
３５、３６・・・抵抗器
４１・・コッククロフト・ウォルトン回路
４２・・昇圧用トランス                    ４３・・抵抗器
４４・・定電圧ダイオード
５１・・高周波発振器                      ５２・・絶縁パルストランス
７１・・抵抗器７１                        ７１ａ・・中間電圧点
【図１】
0003922524.tif 000002
【図２】
0003922524.tif 000003
【図３】
0003922524.tif 000004
【図４】
0003922524.tif 000005
【図５】
0003922524.tif 000006
【図６】
0003922524.tif 000007
【図７】
0003922524.tif 000008
【図８】
0003922524.tif 000009